(57)【要約】  本発明に係る冷蔵庫は、前面側に開口する貯蔵室が形成された箱体と、前記貯蔵室に設けられた収納容器と、前記収納容器に着脱自在に取り付けられ、左右方向に延び、前記収納容器の内部を前後方向に区画する仕切りと、を備え、前記貯蔵室の左側内壁及び右側内壁には、前後方向に延びる段部が形成されており、前記収納容器は、貯蔵物が内部に収納される本体部と、前記本体部の左側側面部及び右側側面部から前記本体部の外側に突出し、前記貯蔵室の前記段部に前後方向に移動自在に支持される被支持部と、を備え、前記被支持部のそれぞれには、上部及び前記本体部の内部側に開口し、前記上部から下方に向かって凹む第１凹部が形成されており、前記仕切りは、左右方向に延び、前記収納容器の前記本体部の内部を前後方向に区画する仕切り本体と、前記仕切り本体の左側端部及び右側端部から突出し、前記第１凹部に挿入される第１凸部を備えている。
2020250271.tif 000002
【特許請求の範囲】
【請求項１】
前面側に開口する貯蔵室が形成された箱体と、
前記貯蔵室に設けられ、内部に貯蔵物が収納される収納容器と、
前記収納容器に着脱自在に取り付けられ、左右方向に延び、前記収納容器の内部を前後方向に区画する仕切りと、
を備え、
前記貯蔵室の左側内壁及び右側内壁には、前後方向に延びる段部が形成されており、
前記収納容器は、
前記貯蔵物が内部に収納される本体部と、
前記本体部の左側側面部及び右側側面部から前記本体部の外側に突出し、前記貯蔵室の前記段部に前後方向に移動自在に支持される被支持部と、
を備え、
前記被支持部のそれぞれには、上部及び前記本体部の内部側に開口し、前記上部から下方に向かって凹む第１凹部が形成されており、
前記仕切りは、
左右方向に延び、前記収納容器の前記本体部の内部を前後方向に区画する仕切り本体と、
前記仕切り本体の左側端部及び右側端部から突出し、前記第１凹部に挿入される第１凸部を備えている冷蔵庫。
【請求項２】
前記仕切りの前記第１凸部のそれぞれは、下方に延びる爪部を備え、
前記被支持部の前記第１凹部のそれぞれには、前記爪部が挿入される爪挿入部が形成され、
前記仕切りの前記第１凸部を前記被支持部の前記第１凹部に挿入した際、前記爪部が前記被支持部に引っ掛かる構成である請求項１に記載の冷蔵庫。
【請求項３】
前記仕切りの前記仕切り本体には、開口部が形成されており、
前記仕切り本体と平行な縦断面において、
前記収納容器の内周面、前記貯蔵室の前記左側内壁、前記貯蔵室の前記右側内壁、及び前記貯蔵室の天面で囲まれる空間を収納容器内風路とした場合、
前記仕切りが前記収納容器に取り付けられた際に前記仕切りによって塞がれる前記収納容器内風路の面積は、前記仕切りが前記収納容器に取り付けられていない状態の前記収納容器内風路の面積の５２％以下である請求項１又は請求項２に記載の冷蔵庫。
【請求項４】
前記仕切りは、前記仕切り本体の下端部に、前後方向へ突出する脚部を備えている請求項１〜請求項３のいずれか一項に記載の冷蔵庫。
【請求項５】
前記仕切りは、前記仕切り本体の下端部から下方へ突出する第２凸部を備え、
前記収納容器の前記本体部の底面部には、前記第２凸部が挿入される第２凹部が形成されている請求項１〜請求項３のいずれか一項に記載の冷蔵庫。
【請求項６】
前記被支持部のそれぞれには、前後方向に間隔を空けて複数の前記第１凹部が形成されている請求項１〜請求項５のいずれか一項に記載の冷蔵庫。
【発明の詳細な説明】
【技術分野】
【０００１】
本発明は、貯蔵室に収納容器が設けられた冷蔵庫に関する。
【背景技術】
【０００２】
従来、冷蔵庫は、前面側に開口する貯蔵室が形成された箱体を備えている。また、従来の冷蔵庫には、貯蔵室に、収納容器が設けられたものも存在する。収納容器は、内部に貯蔵物が収納されるものであり、前後方向に移動自在に貯蔵室に設けられている。また、このような収納容器を備えた従来の冷蔵庫には、収納容器に着脱自在に取り付けられ、収納容器の内部空間を前後方向に区画する仕切りを備えたものも提案されている（例えば、特許文献１参照）。このような収納容器に着脱自在な仕切りを備えた冷蔵庫においては、仕切りを設けることによって、収納容器内の貯蔵物を整理しやすくなる。また、このような収納容器に着脱自在な仕切りを備えた冷蔵庫においては、仕切りが不要な場合には、収納容器から仕切りを取り外すことができる。このため、このような収納容器に着脱自在な仕切りを備えた冷蔵庫は、使い勝手が向上する。
【先行技術文献】
【特許文献】
【０００３】
【特許文献１】特開２００９−２９９９７６号公報
【発明の概要】
【発明が解決しようとする課題】
【０００４】
収納容器に着脱自在な仕切りを備えた従来の冷蔵庫においては、収納容器と仕切りとの接続箇所が、貯蔵物の収納空間に配置される。このため、収納容器に着脱自在な仕切りを備えた従来の冷蔵庫は、収納容器に仕切りを取り付けた際、収納容器と仕切りとの接続箇所によって、貯蔵物を収納できる収納容器内の空間が低減してしまうという課題があった。【０００５】
本発明は、上述の課題を解決するためになされたもので、収納容器に着脱自在な仕切りを備えた冷蔵庫であって、収納容器と仕切りとの接続箇所によって貯蔵物を収納できる収納容器内の空間が低減してしまうことを抑制できる冷蔵庫を得ることを目的とする。
【課題を解決するための手段】
【０００６】
本発明に係る冷蔵庫は、前面側に開口する貯蔵室が形成された箱体と、前記貯蔵室に設けられ、内部に貯蔵物が収納される収納容器と、前記収納容器に着脱自在に取り付けられ、左右方向に延び、前記収納容器の内部を前後方向に区画する仕切りと、を備え、前記貯蔵室の左側内壁及び右側内壁には、前後方向に延びる段部が形成されており、前記収納容器は、前記貯蔵物が内部に収納される本体部と、前記本体部の左側側面部及び右側側面部から前記本体部の外側に突出し、前記貯蔵室の前記段部に前後方向に移動自在に支持される被支持部と、を備え、前記被支持部のそれぞれには、上部及び前記本体部の内部側に開口し、前記上部から下方に向かって凹む第１凹部が形成されており、前記仕切りは、左右方向に延び、前記収納容器の前記本体部の内部を前後方向に区画する仕切り本体と、前記仕切り本体の左側端部及び右側端部から突出し、前記第１凹部に挿入される第１凸部を備えている。
【発明の効果】
【０００７】
本発明に係る冷蔵庫においては、仕切りの第１凸部を収納容器の第１凹部に挿入することにより、収納容器と仕切りとが接続される。このため、本発明に係る冷蔵庫においては、収納容器と仕切りとの接続箇所は、収納容器において貯蔵物が収納される箇所となる本体部の外側に配置されることとなる。したがって、本発明に係る冷蔵庫は、収納容器と仕切りとの接続箇所によって貯蔵物を収納できる収納容器内の空間が低減してしまうことを抑制できる。
【図面の簡単な説明】
【０００８】
【図１】実施の形態１に係る冷蔵庫１の正面図である。
【図２】図１のＡ−Ａ断面図である。
【図３】実施の形態１に係る冷蔵庫１を該冷蔵庫１の正面と平行な縦断面で切断し、該冷蔵庫１の正面側から観察した図である。
【図４】図３のＢ部拡大図である。
【図５】実施の形態１に係る冷蔵庫１の収納容器６０及び仕切り７０を冷蔵庫１の正面側から見た分解斜視図である。
【図６】図５のＣ部拡大図である。
【図７】実施の形態１に係る冷蔵庫１の仕切り７０を冷蔵庫１の正面側から見た斜視図である。
【図８】実施の形態１に係る冷蔵庫１の収納容器６０及び仕切り７０の平面図である。
【図９】図８のＤ−Ｄ断面図である。
【図１０】図９のＥ部拡大図である。
【図１１】実施の形態１に係る冷蔵庫１を仕切り本体７１と平行な縦断面で切断した図であり、収納容器６０の近傍を示す図である。
【図１２】実施の形態１に係る冷蔵庫１を仕切り本体７１と平行な縦断面で切断した図であり、収納容器６０の近傍を示す図である。
【図１３】実施の形態１に係る冷蔵庫１において開口部７８の開口面積の合計を変更した際の、収納容器６０内の温度分布を示す図である。
【図１４】実施の形態１に係る冷蔵庫１において開口部７８の開口面積の合計を変更した際の、収納容器６０内の温度分布を示す図である。
【図１５】実施の形態１に係る冷蔵庫１において開口部７８の開口面積の合計を変更した際の、収納容器６０内の温度分布を示す図である。
【図１６】実施の形態２に係る冷蔵庫１の収納容器６０及び仕切り７０を冷蔵庫１の正面側から見た分解斜視図である。
【図１７】図１６のＦ部拡大図である。
【図１８】実施の形態２に係る冷蔵庫１の仕切り７０の正面図である。
【図１９】実施の形態２に係る冷蔵庫１の収納容器６０及び仕切り７０の平面図である。
【図２０】図１９のＧ−Ｇ断面図である。
【図２１】図２０のＨ部拡大図である。
【図２２】実施の形態３に係る冷蔵庫１の仕切り７０の正面図である。
【図２３】実施の形態３に係る冷蔵庫１の収納容器６０及び仕切り７０の平面図である。
【図２４】図２３のＩ−Ｉ断面図である。
【図２５】図２４のＪ部拡大図である。
【発明を実施するための形態】
【０００９】
実施の形態１．
図１は、実施の形態１に係る冷蔵庫１の正面図である。図２は、図１のＡ−Ａ断面図である。図３は、実施の形態１に係る冷蔵庫１を該冷蔵庫１の正面と平行な縦断面で切断し、該冷蔵庫１の正面側から観察した図である。また、図４は、図３のＢ部拡大図である。
【００１０】
冷蔵庫１は、前面部が開口し、内部に貯蔵空間が形成された箱体２を備えている。換言すると、箱体２には、前面側に開口する貯蔵室が形成されている。この箱体２は、該箱体２の外周面部を構成する外箱と、該箱体２の内周面部を構成する内箱と、外箱と内箱との間に設けられた断熱材と、を備えている。
【００１１】
箱体２の内部は、仕切り部材４によって複数の貯蔵空間に仕切られている。これにより、箱体２には、前面部に開口部を有する複数の貯蔵室が形成されている。具体的には、最上段には、冷蔵室２０が形成されている。冷蔵室２０の下方には、製氷室３０と切替室４０とが横方向に並んで形成されている。製氷室３０及び切替室４０の下方には、冷凍室５０が形成されている。冷凍室５０の下方には、野菜室９０が形成されている。
【００１２】
なお、切替室４０は、内部の温度帯を、冷凍温度帯、冷蔵温度帯、チルド温度帯、及びソフト冷凍温度帯等の各種温度帯に切り換えることができるようになっている。冷凍温度帯は、例えば−１８℃程度の温度帯である。冷蔵温度帯は、例えば３℃程度の温度帯である。チルド温度帯は、例えば０℃程度の温度帯である。ソフト冷凍温度帯は、例えば−７℃程度の温度帯である。
【００１３】
各貯蔵室の前面部の開口部は、扉によって開閉自在に覆われている。具体的には、冷蔵室２０の前面部の開口部は、左扉２１及び右扉２２によって開閉自在に覆われている。左扉２１及び右扉２２は、両開き式の扉となっている。換言すると、左扉２１及び右扉２２は、観音開き式の扉となっている。また、左扉２１の外側表面には、操作パネル５が設けられている。
【００１４】
製氷室３０の前面部の開口部は、引出し式の扉３１によって、開閉自在に覆われている。詳しくは、扉３１には、後方に突出する一対のアームが取り付けられている。一方、製氷室３０の左右の内壁には、扉３１に取り付けられた一対のアームを移動自在に支持する一対の段部が形成されている。これにより、扉３１は、前後方向に移動自在な引き出し式の扉となっている。切替室４０の前面部の開口部は、引出し式の扉４１によって、開閉自在に覆われている。冷凍室５０の前面部の開口部は、引出し式の扉５１によって、開閉自在に覆われている。野菜室９０の前面部の開口部は、引出し式の扉９１によって、開閉自在に覆われている。扉４１、扉５１及び扉９１は、扉３１と同様の構成により、前後方向に移動自在な引き出し式の扉となっている。
【００１５】
冷蔵室２０には、冷蔵室２０の貯蔵物が載せられる複数の棚２３が、上下方向に間隔を空けて設けられている。また、冷蔵室２０には、冷蔵室２０の貯蔵物が内部に収納される収納容器２５及び収納容器２６が設けられている。また、冷蔵室２０を開閉自在に塞ぐ右扉２２には、冷蔵室２０の貯蔵物が内部に収納される複数のポケット２４が設けられている。製氷室３０には、製氷室３０の貯蔵物が内部に収納される収納容器３２が設けられている。切替室４０には、切替室４０の貯蔵物が内部に収納される収納容器４２が設けられている。
【００１６】
冷凍室５０には、冷凍室５０の貯蔵物が内部に収納される収納容器５６及び収納容器６０が設けられている。収納容器５６は、扉５１に固定され、扉５１と共に前後方向に移動する。収納容器６０は、収納容器５６の上方に配置されている。また、収納容器６０は、前後方向に移動自在に、冷凍室５０の左右の内壁に支持されている。具体的には、収納容器６０は、左側側面部６２に、左側へ突出する被支持部６４を備えている。また、収納容器６０は、右側側面部６３に、右側へ突出する被支持部６５を備えている。一方、冷凍室５０の左側内壁５２には、前後方向に延びる段部５４が形成されている。段部５４は、収納容器６０の被支持部６４を、前後方向に移動自在に支持する。また、冷凍室５０の右側内壁５３には、前後方向に延びる段部５５が形成されている。段部５５は、収納容器６０の被支持部６５を、前後方向に移動自在に支持する。
【００１７】
このため、収納容器５６及び収納容器６０の双方が前方に引き出された状態においては、収納容器６０に貯蔵物を収納することが可能となる。また、収納容器５６が前方に引き出され、収納容器６０が後方へ押し込まれた状態においては、収納容器５６に貯蔵物を収納することが可能となる。ここで、本実施の形態１に係る冷蔵庫１は、収納容器６０に着脱自在に取り付けられた仕切り７０を備えている。仕切り７０は、左右方向に延び、収納容器６０の内部を前後方向に区画する。収納容器６０及び仕切り７０の詳細構成は、後述する。
【００１８】
野菜室９０には、野菜室９０の貯蔵物が内部に収納される収納容器９２及び収納容器９３が設けられている。収納容器９２は、扉９１に固定され、扉９１と共に前後方向に移動する。収納容器９３は、収納容器９２の上方に配置されている。また、収納容器９３は、収納容器６０と同様の構成により、前後方向に移動自在に、野菜室９０の左右の内壁に支持されている。
【００１９】
冷蔵庫１は、各貯蔵室を冷却するために、冷凍サイクル回路を備えている。この冷凍サイクル回路は、圧縮機１１、図示せぬ凝縮器、図示せぬ絞り機構及び蒸発器１２が順次配管接続されて構成されている。すなわち、圧縮機１１で高温高圧に圧縮された冷媒は、凝縮器に送られ、冷蔵庫１外に熱を放熱して凝縮していく。凝縮した冷媒は、絞り機構で減圧された後に蒸発器１２に送られる。そして、蒸発器１２に送られた冷媒は、蒸発器１２の周囲の空気を冷却する。
【００２０】
圧縮機１１は、箱体２の後方下部に形成された機械室６に設けられている。蒸発器１２は、箱体２の後方に形成された冷却器室７に設けられている。すなわち、蒸発器１２は、冷却器室７内の空気を冷却する。また、冷却器室７は、冷蔵室２０、製氷室３０、切替室４０及び冷凍室５０と、ダクト８を介して連通している。そして、冷却器室７には、蒸発器１２の下流側にファン１３が設けられている。すなわち、ファン１３を駆動させることにより、冷蔵室２０、製氷室３０、切替室４０及び冷凍室５０に蒸発器１２で冷却された空気が供給され、冷蔵室２０、製氷室３０、切替室４０及び冷凍室５０の貯蔵物を冷却する。また、野菜室９０は、図示せぬダクトを介して、冷蔵室２０と連通している。このため、冷蔵室２０に供給された空気は、図示せぬダクトを通って野菜室９０に流入し、野菜室９０の貯蔵物を冷却する。その後、野菜室９０の空気は、戻りダクト９を通って、冷却器室７に戻る。
【００２１】
各貯蔵室の温度は、各貯蔵室内に設置されたサーミスタにより検知される。そして、各貯蔵室の温度が設定温度になるように、ダクト８に設置されたダンパの開度、圧縮機１１の出力及びファン１３の送風量等が制御される。
【００２２】
続いて、収納容器６０及び仕切り７０の詳細構成について説明する。
【００２３】
図５は、実施の形態１に係る冷蔵庫１の収納容器６０及び仕切り７０を冷蔵庫１の正面側から見た分解斜視図である。図６は、図５のＣ部拡大図である。図７は、実施の形態１に係る冷蔵庫１の仕切り７０を冷蔵庫１の正面側から見た斜視図である。図８は、実施の形態１に係る冷蔵庫１の収納容器６０及び仕切り７０の平面図である。図９は、図８のＤ−Ｄ断面図である。また、図１０は、図９のＥ部拡大図である。なお、図５及び図９には、収納容器６０の下方に配置された収納容器５６も図示している。
【００２４】
収納容器６０は、貯蔵物が内部に収納される本体部６１を備えている。本体部６１は、上面が開口した略直方体の箱体となっている。上述した収納容器６０の左側側面部６２は、本体部６１の左側側面部６２である。また、上述した収納容器６０の右側側面部６３は、本体部６１の右側側面部６３である。上述のように、左側側面部６２には、左側へ突出する被支持部６４が設けられている。また、右側側面部６３には、右側へ突出する被支持部６５が設けられている。すなわち、被支持部６４は、左側側面部６２から、本体部６１の外側に突出している。また、被支持部６５は、右側側面部６３から、本体部６１の外側に突出している。被支持部６４及び被支持部６５のそれぞれには、上部及び本体部６１の内部側に開口し、上部から下方に向かって凹む第１凹部６６が形成されている。
【００２５】
仕切り７０は、左右方向に延び、収納容器６０の本体部６１の内部を前後方向に区画する仕切り本体７１を備えている。また、仕切り７０は、仕切り本体７１の左側端部７２から突出する第１凸部７４と、仕切り本体７１の右側端部７３から突出する第１凸部７５とを備えている。第１凸部７４は、収納容器６０の被支持部６４の第１凹部６６に挿入される箇所である。第１凸部７５は、収納容器６０の被支持部６５の第１凹部６６に挿入される箇所である。すなわち、第１凸部７４を被支持部６４の第１凹部６６に挿入し、第１凸部７５を被支持部６５の第１凹部６６に挿入することにより、仕切り７０を収納容器６０に取り付けることができる。そして、収納容器６０の本体部６１の内部を仕切り本体７１によって前後方向に区画することができる。
【００２６】
すなわち、本実施の形態１に係る冷蔵庫１においては、第１凸部７４、被支持部６４の第１凹部６６、第１凸部７５、及び被支持部６５の第１凹部６６が、収納容器６０と仕切り７０との接続箇所となる。このため、本実施の形態１に係る冷蔵庫１においては、収納容器６０と仕切り７０との接続箇所は、収納容器６０において貯蔵物が収納される箇所となる本体部６１の外側に配置されることとなる。したがって、本実施の形態１に係る冷蔵庫１は、収納容器６０と仕切り７０との接続箇所によって貯蔵物を収納できる収納容器６０内の空間が低減してしまうことを抑制できる。
【００２７】
また、本実施の形態１に係る仕切り７０は、仕切り本体７１の下端部７６に、前後方向へ突出する脚部７７を備えている。脚部７７を備えることにより、収納容器６０内の貯蔵物によって仕切り７０が押された場合、及び収納容器６０を傾けた場合等でも、仕切り７０が第１凸部７４及び第１凸部７５を回転中心として回転することを防止でき、収納容器６０内の貯蔵物が散乱することを防止することができる。
【００２８】
また、本実施の形態１に係る冷蔵庫１においては、収納容器６０の被支持部６４及び被支持部６５のそれぞれには、前後方向に間隔を空けて複数の第１凹部６６が形成されている。これにより、貯蔵物の収納状況に合わせて、複数の配置位置に、仕切り７０を配置することができる。このため、冷蔵庫１の利便性が向上する。
【００２９】
また、本実施の形態１に係る冷蔵庫１においては、仕切り７０の仕切り本体７１には、該仕切り本体７１を前後方向に貫通する少なくとも１つの開口部７８が形成されている。そして、開口部７８の開口面積の合計は、次のように設定されている。
【００３０】
図１１及び図１２は、実施の形態１に係る冷蔵庫１を仕切り本体７１と平行な縦断面で切断した図であり、収納容器６０の近傍を示す図である。なお、図１１は、仕切り７０が収納容器６０に取り付けられていない状態を示している。また、図１２は、仕切り７０が収納容器６０に取り付けられている状態を示している。
【００３１】
仕切り本体７１と平行な縦断面において、収納容器６０の内周面、冷凍室５０の左側内壁５２、冷凍室５０の右側内壁５３、及び冷凍室５０の天面５７で囲まれる空間を、収納容器内風路５８とする。このように収納容器内風路５８を定義した場合、図１２に示すように、仕切り７０が収納容器６０に取り付けられた際に仕切り７０によって塞がれる収納容器内風路５８の面積は、仕切り７０が収納容器６０に取り付けられていない状態の収納容器内風路５８の面積の５２％以下となっている。なお、仕切り７０が収納容器６０に取り付けられていない状態の収納容器内風路５８の面積は、図１１に示す収納容器内風路５８の面積となる。
【００３２】
このように仕切り７０の開口部７８の開口面積の合計を設定することにより、以下に示すように、仕切り７０の前方に形成される収納容器６０内の貯蔵空間と、仕切り７０の後方に形成される収納容器６０内の貯蔵空間との間で空気の移動を妨げることを抑制できる。すなわち、仕切り７０を収納容器６０に取り付けた場合でも、収納容器６０内の温度分布のバラツキを抑制でき、収納容器６０内の温度を設定温度近傍に保つことができる。
【００３３】
図１３〜図１５は、実施の形態１に係る冷蔵庫１において開口部７８の開口面積の合計を変更した際の、収納容器６０内の温度分布を示す図である。なお、図１３〜図１５は、紙面下側が冷蔵庫１の正面側つまり前面側となっている。また、図１３は、仕切り７０が収納容器６０に取り付けられていない状態における収納容器６０内の温度分布を示している。また、図１４は、仕切り７０によって塞がれる収納容器内風路５８の面積が仕切り７０を収納容器６０に取り付けていない状態の収納容器内風路５８の面積の８０％となっている状態での、収納容器６０内の温度分布を示している。また、図１５は、仕切り７０によって塞がれる収納容器内風路５８の面積が仕切り７０を収納容器６０に取り付けていない状態の収納容器内風路５８の面積の５２％となっている状態での、収納容器６０内の温度分布を示している。
【００３４】
図１３に示すように、仕切り７０が収納容器６０に取り付けられていない場合、収納容器６０内の温度分布のバラツキは、０．５５℃となっている。なお、収納容器６０内の温度分布のバラツキとは、収納容器６０内の複数の箇所で温度を計測し、最高温度から最低温度を減算した温度差のことである。図１４に示すように、収納容器内風路５８の８０％が仕切り７０で塞がれると、収納容器６０内の温度分布のバラツキは、１．３８℃と大きくなる。一方、図１５に示すように、収納容器内風路５８の５２％が仕切り７０で塞がれる状態になると、収納容器６０内の温度分布のバラツキは、０．５６℃となり、仕切り７０が収納容器６０に取り付けられていない場合と同等になる。
【００３５】
なお、本実施の形態１では、収納容器６０以外の収納容器も冷凍室５０に設けられているが、収納容器６０のみが冷凍室５０に設けられていてもよい。また例えば、収納容器６０が設けられる貯蔵室は、冷凍室５０に限定されるものではなく、冷凍室５０以外の貯蔵室であってもよい。なお、冷凍室５０以外の貯蔵室に収納容器６０が設けられる場合、当該貯蔵室の左側内壁に段部５４が形成され、当該貯蔵室の右側内壁に段部５５が形成されることとなる。
【００３６】
以上、実施の形態１に係る冷蔵庫１は、前面側に開口する貯蔵室が形成された箱体２と、貯蔵室に設けられ、内部に貯蔵物が収納される収納容器６０と、収納容器６０に着脱自在に取り付けられ、左右方向に延び、収納容器６０の内部を前後方向に区画する仕切り７０と、を備えている。貯蔵室の左側内壁には前後方向に延びる段部５４が形成されており、貯蔵室の右側内壁には前後方向に延びる段部５５が形成されている。収納容器６０は、貯蔵物が収納される本体部６１を備えている。また、収納容器６０は、本体部６１の左側側面部６２から本体部６１の外側に突出し、段部５４に前後方向に移動自在に支持される被支持部６４を備えている。また、収納容器６０は、本体部６１の右側側面部６３から本体部６１の外側に突出し、段部５５に前後方向に移動自在に支持される被支持部６５を備えている。被支持部６４及び被支持部６５のそれぞれには、上部及び本体部６１の内部側に開口し、上部から下方に向かって凹む第１凹部６６が形成されている。仕切り７０は、左右方向に延び、収納容器６０の本体部６１の内部を前後方向に区画する仕切り本体７１を備えている。また、仕切り７０は、仕切り本体７１の左側端部７２から突出する第１凸部７４と、仕切り本体７１の右側端部７３から突出する第１凸部７５とを備えている。第１凸部７４は、収納容器６０の被支持部６４の第１凹部６６に挿入される。第１凸部７５は、収納容器６０の被支持部６５の第１凹部６６に挿入される。
【００３７】
すなわち、本実施の形態１に係る冷蔵庫１においては、第１凸部７４、被支持部６４の第１凹部６６、第１凸部７５、及び被支持部６５の第１凹部６６が、収納容器６０と仕切り７０との接続箇所となる。このため、本実施の形態１に係る冷蔵庫１においては、収納容器６０と仕切り７０との接続箇所は、収納容器６０において貯蔵物が収納される箇所となる本体部６１の外側に配置されることとなる。したがって、本実施の形態１に係る冷蔵庫１は、収納容器６０と仕切り７０との接続箇所によって貯蔵物を収納できる収納容器６０内の空間が低減してしまうことを抑制できる。
【００３８】
実施の形態２．
実施の形態１で示した仕切り７０の第１凸部７４及び第１凸部７５に、以下のような爪部８０を設けてもよい。なお、本実施の形態２において、特に記述しない項目については実施の形態１と同様とし、実施の形態１と同一の機能及び構成については同一の符号を用いて述べることとする。
【００３９】
図１６は、実施の形態２に係る冷蔵庫１の収納容器６０及び仕切り７０を冷蔵庫１の正面側から見た分解斜視図である。図１７は、図１６のＦ部拡大図である。図１８は、実施の形態２に係る冷蔵庫１の仕切り７０の正面図である。図１９は、実施の形態２に係る冷蔵庫１の収納容器６０及び仕切り７０の平面図である。図２０は、図１９のＧ−Ｇ断面図である。また、図２１は、図２０のＨ部拡大図である。なお、図１６及び図２０には、収納容器６０の下方に配置された収納容器５６も図示している。
【００４０】
本実施の形態２に係る仕切り７０においては、第１凸部７４及び第１凸部７５のそれぞれは、下方に延びる爪部８０を備えている。また、本実施の形態２に係る収納容器６０の第１凹部６６のそれぞれには、爪部８０が挿入される爪挿入部６７が形成されている。なお、本実施の形態２では、収納容器６０の被支持部６４の第１凹部６６に形成された爪挿入部６７は、被支持部６４を上下方向に貫通するように形成されている。また、収納容器６０の被支持部６５の第１凹部６６に形成された爪挿入部６７は、被支持部６５を上下方向に貫通するように形成されている。そして、仕切り７０の第１凸部７４を収納容器６０の被支持部６４の第１凹部６６に挿入した際、第１凸部７４の爪部８０が被支持部６４に引っ掛かる。同様に、仕切り７０の第１凸部７５を収納容器６０の被支持部６５の第１凹部６６に挿入した際、第１凸部７５の爪部８０が被支持部６５に引っ掛かる。
【００４１】
本実施の形態２のように構成された冷蔵庫１は、実施の形態１で示した冷蔵庫１と同様の効果を得ることができると共に、次の効果を得ることもできる。本実施の形態２のように構成された冷蔵庫１においては、仕切り７０を収納容器６０に取り付けた際、第１凸部７４の爪部８０が被支持部６４に引っ掛かり、第１凸部７５の爪部８０が被支持部６５に引っ掛かる。このため、収納容器６０を傾ける動作、及び収納容器６０を逆さにする動作等、収納容器６０から仕切り７０が外れてしまうかもしれない動作が行われた際に、収納容器６０から仕切り７０が外れてしまうことを抑制できる。
【００４２】
実施の形態３．
実施の形態１では、仕切り７０の仕切り本体７１の下端部７６に脚部７７を設けることにより、仕切り７０が回転することを防止した。仕切り７０の回転を防止する構成は、当該構成に限らず、本実施の形態３に示す構成としてもよい。なお、本実施の形態３において、特に記述しない項目については実施の形態１又は実施の形態２と同様とし、実施の形態１又は実施の形態２と同一の機能及び構成については同一の符号を用いて述べることとする。
【００４３】
図２２は、実施の形態３に係る冷蔵庫１の仕切り７０の正面図である。図２３は、実施の形態３に係る冷蔵庫１の収納容器６０及び仕切り７０の平面図である。図２４は、図２３のＩ−Ｉ断面図である。また、図２５は、図２４のＪ部拡大図である。なお、図２４には、収納容器６０の下方に配置された収納容器５６も図示している。
【００４４】
本実施の形態３に係る仕切り７０は、仕切り本体７１の下端部７６から下方へ突出する少なくとも１つの第２凸部８１を備えている。また、収納容器６０の本体部６１の底面部６８には、第２凸部８１が挿入される第２凹部６９が形成されている。なお、第２凹部６９は、底面部６８において上部から下方へ凹んでいれば、底面部６８を貫通している必要はない。
【００４５】
このように構成された冷蔵庫１においては、仕切り７０が第１凸部７４及び第１凸部７５を回転中心として回転しようとした際、第２凸部８１が第２凹部６９の周縁に引っ掛かり、仕切り７０が回転することを防止できる。このため、本実施のように構成された冷蔵庫１においても、仕切り７０の仕切り本体７１の下端部７６に脚部７７を設けた場合と同様に、仕切り７０が第１凸部７４及び第１凸部７５を回転中心として回転することを防止でき、収納容器６０内の貯蔵物が散乱することを防止することができる。
【符号の説明】
【００４６】
１  冷蔵庫、２  箱体、４  仕切り部材、５  操作パネル、６  機械室、７  冷却器室、８  ダクト、９  戻りダクト、１１  圧縮機、１２  蒸発器、１３  ファン、２０  冷蔵室、２１  左扉、２２  右扉、２３  棚、２４  ポケット、２５  収納容器、２６  収納容器、３０  製氷室、３１  扉、３２  収納容器、４０  切替室、４１  扉、４２  収納容器、５０  冷凍室、５１  扉、５２  左側内壁、５３  右側内壁、５４  段部、５５  段部、５６  収納容器、５７  天面、５８  収納容器内風路、６０  収納容器、６１  本体部、６２  左側側面部、６３  右側側面部、６４  被支持部、６５  被支持部、６６  第１凹部、６７  爪挿入部、６８  底面部、６９  第２凹部、７０  仕切り、７１  仕切り本体、７２  左側端部、７３  右側端部、７４  第１凸部、７５  第１凸部、７６  下端部、７７  脚部、７８  開口部、８０  爪部、８１  第２凸部、９０  野菜室、９１  扉、９２  収納容器、９３  収納容器。
【図１】
2020250271.tif 000003
【図２】
2020250271.tif 000004
【図３】
2020250271.tif 000005
【図４】
2020250271.tif 000006
【図５】
2020250271.tif 000007
【図６】
2020250271.tif 000008
【図７】
2020250271.tif 000009
【図８】
2020250271.tif 000010
【図９】
2020250271.tif 000011
【図１０】
2020250271.tif 000012
【図１１】
2020250271.tif 000013
【図１２】
2020250271.tif 000014
【図１３】
2020250271.tif 000015
【図１４】
2020250271.tif 000016
【図１５】
2020250271.tif 000017
【図１６】
2020250271.tif 000018
【図１７】
2020250271.tif 000019
【図１８】
2020250271.tif 000020
【図１９】
2020250271.tif 000021
【図２０】
2020250271.tif 000022
【図２１】
2020250271.tif 000023
【図２２】
2020250271.tif 000024
【図２３】
2020250271.tif 000025
【図２４】
2020250271.tif 000026
【図２５】
2020250271.tif 000027
【国際調査報告】
2020250271.tif 000028
2020250271.tif 000029
2020250271.tif 000030
2020250271.tif 000031